(57)【要約】【課題】書き換え型光ディスクのオーバーライト回数に応じて最適な記録パワーを設定する。【解決手段】レーザ光を用いて書き換え型光ディスクに情報を記録再生する光ディスク装置１００は、レーザダイオードと、レーザダイオードを発光させるための電流を供給する電流供給部１０２と、電流供給部により前記レーザダイオードに供給される電流量を制御して、前記レーザダイオードの発光パワーを制御する制御部１０１と、を備え、制御部１０１は、書き換え型光ディスクの試し書き領域に書き込まれたテストデータの記録品質に応じてレーザダイオードの最適発光パワーを算出し、書き換え型光ディスクのデータ領域における書き込み回数に応じて最適発光パワーを補正する。【選択図】図１
2011258280.tif 000002
【特許請求の範囲】
【請求項１】
レーザ光を用いて書き換え型光ディスクに情報を記録再生する光ディスク装置において、
レーザダイオードと、
前記レーザダイオードを発光させるための電流を供給する電流供給部と、
前記電流供給部により前記レーザダイオードに供給される電流量を制御して、前記レーザダイオードの発光パワーを制御する制御部と、
を備え、
前記制御部は、前記書き換え型光ディスクの試し書き領域に書き込まれたテストデータの記録品質に応じて前記レーザダイオードの最適発光パワーを算出し、前記書き換え型光ディスクのデータ領域における書き込み回数に応じて前記最適発光パワーを補正する
ことを特徴とする光ディスク装置。
【請求項２】
前記制御部は、
前記書き換え型光ディスクの試し書き領域に書き込まれたテストデータの記録品質に応じて前記レーザダイオードの最適発光パワーを算出する算出部と、
前記書き換え型光ディスクのデータ領域への書き込み回数を取得する取得部と、
前記取得部により取得された前記書き込み回数に応じて、前記算出部により算出された前記最適発光パワーを補正する補正部と、
を備えることを特徴とする光ディスク装置。
【請求項３】
前記書き換え型光ディスクへの書き込み回数と前記書き込み回数に対応する推奨記録パワーとを関連付けて記憶している記憶部を備え、
前記取得部は、前記試し書き領域の書き込み回数を取得し、
前記補正部は、前記データ領域の書き込み回数に対応する前記推奨記録パワーと前記試し書き領域の書き込み回数に対応する前記推奨記録パワーとの比率に応じて、前記最適発光パワーを補正する
ことを特徴とする請求項１に記載の光ディスク装置。
【請求項４】
前記補正部は、前記データ領域の書き込み回数に対応する前記推奨記録パワーと前記試し書き領域の書き込み回数に対応する前記推奨記録パワーとの比率を前記最適発光パワーに乗じて前記データ領域に最適な発光パワーを算出する
ことを特徴とする請求項３に記載の光ディスク装置。
【請求項５】
前記記憶部は、前記推奨記録パワーを前記書き込み回数毎に記憶している
ことを特徴とする、請求項３に記載の光ディスク装置。
【請求項６】
前記記憶部は、前記推奨記録パワーを前記書き込み回数の所定のまとまり毎に記憶していることを特徴とする、請求項３に記載の光ディスク装置。
【請求項７】
前記記憶部は、前記推奨記録パワーと前記書き込み回数との関係を示す所定の関数を記憶している
ことを特徴とする請求項３に記載の光ディスク装置。
【請求項８】
レーザ光を用いて書き換え型光ディスクに情報を記録再生する光ディスク装置における光ディスク管理方法であって、
前記書き換え型光ディスクの試し書き領域に書き込まれたテストデータの記録品質に応じてレーザダイオードの最適発光パワーを算出する第１のステップと、
前記書き換え型光ディスクのデータ領域への書き込み回数を取得する第２のステップと、
前記取得された前記書き込み回数に応じて、前記算出部により算出された前記最適発光パワーを補正する第３のステップと、
を備えることを特徴とする光ディスク管理方法。
【発明の詳細な説明】
【技術分野】
【０００１】
本発明は、光ディスク装置および光ディスクに関し、例えば、光ディスクにデータを書き込む際の最適な発光パワーを算出する光ディスク装置および光ディスクに適用して好適なものである。
【背景技術】
【０００２】
従来から、ＤＶＤ（Digital Versatile Disc）−ＲＷ等の書き換え可能な光ディスク装置においては、光ディスクの同一の領域に上書き記録（オーバーライト）を複数回行ってもデータを良好に再生できることが求められている。
【０００３】
これらの光ディスクに対してオーバーライトを行う際には、光ディスク毎に最適な記録パワーが得られるように、通常、OPC（Optimum Power Control）処理が行われている。OPC処理は、光ディスクのデータ領域にデータを記録する直前に、試し書き領域にテストデータの試し書きを行って、最適な記録パワーを決定する処理である。
【０００４】
また、記録パワーを最適化するだけでなく、消去パワーも最適化する必要がある。そこで、特許文献１には、オーバーライト回数に応じて記録パワーと消去パワーとの比εを定めたテーブルを保持し、ＯＰＣ処理により算出された記録パワーにオーバーライト回数に応じた上記εを乗じて（または除して）、最適な消去パワーを算出する技術が開示されている。
【先行技術文献】
【特許文献】
【０００５】
【特許文献１】特開２００８‐２４３３４３号公報
【発明の概要】
【発明が解決しようとする課題】
【０００６】
ところが、上記特許文献１では、消去パワーの算出にオーバーライト回数が考慮されているものの、記録パワーの算出についてオーバーライト回数は考慮されていない。例えば、光ディスクの試し書き領域とデータ領域とのオーバーライト回数が異なっている場合などには、試し書き領域を用いて算出された最適な記録パワーでデータ領域に記録を行うと記録品質が劣化してしまうという問題があった。
【０００７】
本発明は以上の点を考慮してなされたもので、書き換え型光ディスクのオーバーライト回数に応じて最適な記録パワーを設定し得る光ディスク装置および光ディスク管理方法を提案しようとするものである。
【課題を解決するための手段】
【０００８】
かかる課題を解決するため本発明においては、レーザ光を用いて書き換え型光ディスクに情報を記録再生する光ディスク装置において、レーザダイオードと、前記レーザダイオードを発光させるための電流を供給する電流供給部と、前記電流供給部により前記レーザダイオードに供給される電流量を制御して、前記レーザダイオードの発光パワーを制御する制御部と、を備え、前記制御部は、前記書き換え型光ディスクの試し書き領域に書き込まれたテストデータの記録品質に応じて前記レーザダイオードの最適発光パワーを算出し、前記書き換え型光ディスクのデータ領域における書き込み回数に応じて前記最適発光パワーを補正することを特徴とする、光ディスク装置が提供される。
【０００９】
かかる構成によれば、書き換え型光ディスクの試し書き領域に書き込まれたテストデータの記録品質に応じてレーザダイオードの最適発光パワーを算出し、書き換え型光ディスクのデータ領域における書き込み回数に応じて最適発光パワーを補正することにより、試し書き領域とデータ領域との書き込み回数が異なっている場合でも、データ領域のオーバーライト回数に応じた最適な記録パワーを算出して、書き換え型光ディスクの記録品質を保証することが可能となる。
【発明の効果】
【００１０】
本発明によれば、書き換え型光ディスクのオーバーライト回数に応じて最適な記録パワーを設定することができる。
【図面の簡単な説明】
【００１１】
【図１】本実施の形態による光ディスク装置の概略構成を示すブロック図である。
【図２】同実施形態における光ディスクのエリアレイアウトの概念図である。
【図３】同実施形態における光ディスクへの記録回数と最適記録パワーとの関係を示すグラフである。
【図４】同実施形態におけるオーバーライト回数と推奨記録パワーとの関係を示すテーブルである。
【図５】同実施形態におけるオーバーライト回数と推奨記録パワーとの関係を示すテーブルである。
【図６】同実施形態におけるオーバーライト回数と推奨記録パワーとの関係を示すグラフである。
【図７】同実施形態における光ディスク装置の動作の詳細を示すフローチャートである。
【発明を実施するための最良の形態】
【００１２】
以下図面について、本発明の一実施の形態を詳述する。
【００１３】
＜１．光ディスク装置の概略構成＞
まず、図１および図２を参照して、光ディスク装置１００の概略構成について説明する。図１は、光ディスク装置１００の概略構成を示すブロック図である。光ディスク装置１００は、光ディスク１０８が着脱可能であり、ＡＴＡＰＩなどのインタフェース（図示せず）を介してＰＣなどのホスト装置と接続されている。また、光ディスク装置１００は、光ディスク１０８を着脱する構成としてローダ（図示せず）を備えている。
【００１４】
光ディスク１０８は、データを読み書きすることが可能な記録媒体であって、例えば、ＤＶＤ−ＲＷやＢＤ（Blue-ray Disc（登録商標））などを例示できる。また、光ディスク１０８は、図２に示すエリアレイアウトを有する。図２は、光ディスク１０８のエリアレイアウトの一例を説明する説明図である。図２に示したように、光ディスク１０８の内周側には管理領域１０８０が存在し、管理領域１０８０の外周にデータ領域１０８１が存在している。
【００１５】
管理領域１０８０には、光ディスク１０８に関する情報が記憶されており、例えば、光ディスク１０８を識別する情報や、後述するＯＰＣ処理に関する情報などが記憶されている。また、データ領域１０８１には複数の領域１０８２が存在し、各領域１０８２には各種データが記憶されている。また、データ領域１０８１の各領域１０８２は、ＬＰＰ（ランドプリピット）やアドレスピットなどで特定することが可能である。管理領域１０８０に、管理領域１０８０およびデータ領域１０８１への上書き記録（オーバーライト）回数を記録されていてもよい。
【００１６】
図１に示したように、光ディスク装置１００は、主に、マイコン１０１、波形等化器１１１、信号処理器１１２、光ピックアップ１１３などを有する。
【００１７】
マイコン１０１は、光ディスク装置１００全体を制御するプロセッサであって、メモリ（図示せず）を備えている。メモリは、例えば、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などを例示できる。ＲＯＭは、マイコン１０１が使用するプログラムや演算パラメータ等を記憶する。ＲＡＭは、マイコン１０１の実行において使用するプログラムや、その実行において適宜変化するパラメータ等を一次記憶する。マイコン１０１は、各種プログラムに従って、光ディスク装置１００の動作全般を制御する。マイコン１０１は、本発明の制御部の一例である。
【００１８】
光ピックアップ１１３は、レーザドライバ１０２、レーザダイオード１０３、ビームスプリッタ１０４、パワーモニタ１０５、１／４波長板１０６、対物レンズ１０７、偏光ビームスプリッタ１０９、ディテクタ１１０などを有する。
【００１９】
マイコン１０１は、レーザドライバ１０２に対して発光制御を行う。レーザドライバ１０２は、マイコン１０１の制御に応じてレーザダイオード１０３を駆動する電流を出力する。レーザドライバ１０２は、本発明の電流供給部の一例である。レーザダイオード１０３は、レーザドライバ１０２の駆動電流に応じた発光パワーで発光する。レーザダイオード１０３の発光パワーを記録パワー、再生パワー、アクセスパワーに切り替えて発光させている。
【００２０】
パワーモニタ１０５は、ビームスプリッタ１０４を介してレーザダイオード１０３の発光パワーを検出し、検出したパワーを電圧値に変換してマイコン１０１に出力する。また、１／４波長板１０６は、ビームスプリッタ１０４を透過したレーザの位相を１／４波長ずらし、偏光方向を変化させる。対物レンズ１０７は、レーザを光ディスク１０８に集光させる。
【００２１】
光ディスク１０８に反射したレーザは、光ディスクの情報を光の強度変化として保持している。光ディスク１０８に記録されているデータを再生する際には、光ディスク１０８で反射したレーザを１／４波長板２０６において偏光方向を変化させる。また、偏光ビームスプリッタ１０９は、レーザを反射させて、ディテクタ１１０に光を集光する。ディテクタ１１０は、集光したレーザを検出し、レーザの強度に応じた信号を波形等価器１１１に出力する。
【００２２】
波形等化器１１１は、ディテクタ１１０によって検出された信号波形に対して等化、増幅などの処理を実行する。また、波形等化器１１１は、等化、増幅等の処理を施した信号波形を信号処理器１１２に出力する。信号処理器１１２は、波形等化器１１１によって出力された信号波形に対し、アナログ／デジタル変換、等化、デコードなどの信号処理を実行する。また、信号処理器１１２は、デコード等の処理を施したデータをマイコン１０１に出力する。
【００２３】
また、光ディスク１０８にデータを記録する場合には、後述するＯＰＣ処理を実行した後に、レーザダイオード１０３は、レーザドライバ２０２の駆動電流に応じた発光波形でレーザを出力する。そして、対物レンズ１０７にて、レーザダイオード１０３から出力されたレーザを光ディスク１０８に集光することにより、光ディスク１０８にデータを記録する。
【００２４】
上記では、レーザダイオード１０３とパワーモニタ１０５を分離した構成となっているが、かかる例に限定されない。例えば、パワーモニタ１０５をパッケージングして、パワーモニタ１０５により検出された記録パワーをマイコン１０１に出力するレーザダイオードを用いてもよい。この場合、光ピックアップ装置を設計する上で、省スペース化を実現したり、制御を容易にしたりすることが可能となる。
【００２５】
＜２．光ディスク装置の機能構成＞
次に、光ディスク装置１００の機能構成について説明する。本実施形態にかかる光ディスク装置１００は、各光ディスクの最適な記録パワーを取得するために、ＯＰＣ処理を実行する。上記したように、光ディスク１０８には、管理領域１０８０とデータ領域１０８１が存在している。ＯＰＣ処理は、管理領域１０８０のＯＰＣ領域を用いて実行される。
【００２６】
ここで、ＯＰＣ処理について説明する。ＯＰＣ処理とは、光ディスク１０８のデータ領域１０８１にデータを記録するための最適な記録パワーを算出するための処理である。具体的には、光ディスク１０８に設けられた管理領域１０８０のＯＰＣ領域に、試しにテストデータを記録して、当該テストデータを再生することにより記録に適したレーザパワーを算出する処理である。
【００２７】
例えば、光ディスク１０８の種類毎に予め所定の記録パワーを設定しておき、該記録パワーを中心として、当該記録パワーを徐々に変化させながら、ＯＰＣ領域に複数回、同一のテストデータを試し書きする。そして、ＯＰＣ領域に書き込んだテストデータの全てを読み出して、読み出したテストデータのうち、最も記録品位の良好であったデータの記録パワーを最適な記録パワーに設定する。ここで、記録品位が良好であるとは、予め設定してある目標の上下対称性に近い状態のデータであることを意味する。
【００２８】
次に、図３を参照して、光ディスクへの記録回数と最適記録パワーとの関係について説明する。図３に示したように、光ディスク１０８に対して同一のデータ領域に繰り返し記録した場合、記録品質が最良となる記録パワーは、記録回数に対して一定ではない。すなわち、１回目の記録から約５回目までの記録までは、最適記録パワーが増大する傾向にあるが、約５回目以降の記録から記録回数を重ねるごとに最適記録パワーが減少していく傾向にあることがわかる。
【００２９】
図３に示した記録回数による最適記録パワーの変化の度合いは、光ディスク１０８ごとに異なっている。また、図３では、所定の回数の測定点を結んだ直線近似としているが、曲線近似を用いてもよいし、すべての記録回数について最適記録パワーを算出してもよい。
【００３０】
従来、光ディスク１０８にデータ等を未記録な状態でＯＰＣ処理を実行し最適な記録パワーを算出し、当該記録パワーでデータ領域１０８１へのデータ記録を行っている。しかし、図３に示したように、オーバーライト回数に応じて最適な記録パワーは変化するため、オーバーライト回数を考慮せずにＯＰＣ処理のみにより算出された記録パワーが最適な記録パワーとはならない場合が生じる。
【００３１】
例えば、データ領域１０８１に複数回のオーバーライトが行われた場合、未記録な状態でＯＰＣ処理により算出された記録パワーと、データ領域１０８１の最適な記録パワーとが異なる場合がある。また、既にデータが記録された光ディスク１０８の場合には、ＯＰＣ処理を実行するＯＰＣ領域のオーバーライト回数と、実際にデータを記録するデータ領域１０８１のオーバーライト回数が異なる場合がある。この場合、ＯＰＣ処理により算出された記録パワーが、実際に記録するデータ領域１０８１における最適な記録パワーとはならない可能性が高い。
【００３２】
そこで、本実施形態では、ＯＰＣ領域およびデータ領域のオーバーライト回数を、管理領域１０８０の所定の領域に保持し、当該オーバーライト回数に応じてＯＰＣ処理により算出された記録パワーを補正する。これにより、個々の光ディスク１０８に対して、オーバーライト回数を考慮した最適な記録パワーを算出することが可能となる。
【００３３】
次に、図４を参照してオーバーライト回数に応じた推奨記録パワーについて説明する。図４は、オーバーライト回数と推奨記録パワーとの関係を説明する説明図である。オーバーライト回数と推奨記録パワーとの関係を示す関係テーブル４０は、オーバーライト回数欄４０Ａと推奨記録パワー欄４０Ｂとから構成される。オーバーライト回数欄４０Ａには、所定の領域への書き込み回数（オーバーライト回数）が格納される。例えば、オーバーライト回数欄４０Ａには、書き込み回数として０〜ｎまでの整数が格納される。また、推奨記録パワー欄４０Ｂには、書き込み回数ごとの、ＯＰＣ処理により算出された推奨記録パワーが格納される。
【００３４】
関係テーブル４０は、光ディスク装置１００のメモリに記録されていてもよいし、光ディスク１０８の管理領域に記憶されていてもよい。関係テーブル４０は、光ディスク製造時に予め光ディスク１０８の管理領域に記憶されていてもよい。また、関係テーブル４０は、光ディスク製造後、光ディスク１０８が光ディスク装置１００に挿入された後に、光ディスク装置１００のメモリまたは光ディスクの管理領域１０８０に記憶するようにしてもよい。例えば、光ディスク装置１００に光ディスク１０８に挿入され、データの記録をする際に、記録する領域のオーバーライト回数とＯＰＣ処理により算出された最適な記録パワーとを随時保持しておく。すなわち、オーバーライト回数を関係テーブル４０のオーバーライト回数欄４０Ａに格納し、当該オーバーライト回数に対応する最適な記録パワーを推奨記録パワー欄４０Ｂに格納する。これにより、図４に示したオーバーライト回数と記録パワーとの関係を示す関係テーブル４０が生成される。
【００３５】
ディスク装置１００は、光ディスク１０８にデータを記録する際に、図４の関係テーブル４０を参照して、データ領域にデータを書き込む際の最適な記録パワーを算出する。ここで、オーバーライト回数を考慮した最適な記録パワーの算出について説明する。
【００３６】
例えば、ＯＰＣ処理を実行するためのＯＰＣ領域がｎ−１回オーバーライト済みであるとする。この場合、図４に示した関係テーブル４０を参照して、オーバーライト回数がｎ回に対応する推奨記録パワーＰｎを取得する。また、ＯＰＣ領域で実行されたＯＰＣ処理により算出された最適記録パワーがＰ′ｎであるとする。また、データを記録するデータ領域のオーバーライト回数がｍ回であるとき、当該データ領域に対する最適な記録パワーＰ′ｍは以下の数式により算出することができる。
【００３７】
【数１】
2011258280.tif 000003
【００３８】
上記（１）式により、書き込み対象となるデータ領域のオーバーライト回数ｍに対応する推奨記録パワーＰｍと、ＯＰＣ処理が実行されるＯＰＣ領域のオーバーライト回数ｎに対応する推奨記録パワーＰｎとの比率に応じて、ＯＰＣ処理により算出されていた最適記録パワーＰ′ｎを適正な値に補正することができる。これにより、データを書き込むデータ領域の書き込み回数を考慮した最適な記録パワーで、データを書き込むことができ、データ領域の記録品質を保証することが可能となる。
【００３９】
また、上記（１）式では、最適記録パワーＰ′ｎと推奨記録パワーＰｎの比を推奨記録パワーＰｍに乗じることによりデータ領域に対する最適な記録パワーＰ′ｍを算出したが、かかる例に限定されない。例えば、最適記録パワーＰ′ｎと推奨記録パワーＰｎの差を算出することにより、最適な記録パワーＰ′ｍを求めてもよい。
【００４０】
また、オーバーライト回数と記録パワーとの関係を、図５に示す関係テーブル５０のように保持してもよい。図５に示した関係テーブル５０では、オーバーライト回数の任意のまとまりと、推奨記録パワーとを対応付けて記憶している。すなわち、オーバーライト回数（ｉ）欄５０Ａには、オーバーライト回数の任意のまとまりが格納される。推奨記録パワー欄５０Ｂには、オーバーライト回数の任意のまとまりに応じた推奨記録パワーが格納される。これにより、オーバーライト回数ごとの対する推奨記録パワーを保持するよりも、メモリ容量を少なくすることができる。
【００４１】
また、オーバーライト回数と記録パワーとの関係を、図６に示す関数６０として保持してもよい。図６では、オーバーライト回数と推奨記録パワーとの関係が、オーバーライト回数が１回からｉ回までは推奨記録パワーが徐々に減少し、ｉ回以降は推奨記録パワーが一定となっている。このとき、データ領域への最適な記録パワーＰ′ｍは以下の数式により算出することができる。
【００４２】
【数２】
2011258280.tif 000004
【００４３】
ここで、上記（２）式のａおよびｂは、オーバーライト回数と記録パワーの関係式とともに保持される定数である。なお、オーバーライト回数に応じた記録パワーの関数はこれに限られず、関数の個数も限られない。
【００４４】
例えば、ＯＰＣ処理を実行するＯＰＣ領域がｎ−１回のオーバーライト回数である場合、オーバーライト回数に応じた記録パワーの関数から、オーバーライト回数がｎ回に応じた記録パワーは、上記数式２で示される関係式Ｐｎ＝ａ×ｎ＋ｂにより算出される。また、そのＯＰＣ領域でＯＰＣ処理を実行して算出された最適記録パワーがＰ′ｎであるとする。また、データを記録するデータ領域のオーバーライト回数がｍ回であるとき、当該データ領域に対する最適な記録パワーＰ′ｍは上記数式１により算出することができる。
【００４５】
なお、上記したオーバーライト回数と推奨記録パワーの関係は、図２に示した管理領域１０８０にディスク情報として予め記録してもよい。例えば、オーバーライト回数と推奨記録パワーの関係を示す情報を、光ディスク製造時にＡＤＩＰ（Address in pre-groove）としてウォルブ部に記録してもよい。
【００４６】
また、オーバーライト回数と推奨記録パワーの関係を示す情報を、光ディスク製造後に情報を追加可能なＢＣＡ（Burst Cutting Area）部に記録してもよい。また、オーバーライト回数と推奨記録パワーの関係を示す情報を、データ領域以外の領域に記録マークによる再生信号として記録してもよいし、記録ピットによる再生信号として記録してもよい。
【００４７】
また、Blue-ray Disc（登録商標）等の多層膜構造を持つ光ディスクの場合には、オーバーライト回数と推奨記録パワーの関係を示す情報を、データ記録を行う記録層にそれぞれ記録してもよいし、一つの層にすべての層の情報を記録してもよい。また、すべての層にすべての層の情報を記録してもよい。
【００４８】
＜３．光ディスク装置の動作の詳細＞
次に、図７を参照して、光ディスク装置１００の動作の詳細について説明する。図７は、光ディスク装置１００の動作の詳細を示すフローチャートである。図７に示したように、まず、マイコン１０１は、光ディスク１０８の管理領域を再生させて、ＯＰＣ領域のオーバーライト回数を取得する（Ｓ１０２）。ステップＳ１０２において、オーバーライト回数が、光ディスク１０８ではなく、光ディスク装置１００のメモリに記憶されている場合には、メモリに記憶されているオーバーライト回数を取得する。
【００４９】
そして、マイコン１０１は、ＯＰＣ領域を用いて上記したＯＰＣ処理を実行して記録パワーを算出する（Ｓ１０４）。そして、マイコン１０１は、ステップＳ１０２に取得したオーバーライト回数に対応する推奨記録パワーの値を光ディスク装置１００のメモリから取得する（Ｓ１０６）。そして、マイコン１０１は、ステップＳ１０６において取得した推奨記録パワーとステップＳ１０４において算出されたＯＰＣ処理による記録パワーとの比率または差を算出する（Ｓ１０８）。
【００５０】
そして、マイコン１０１は、光ディスク１０８の管理領域を再生させて、データを書き込みするデータ領域のオーバーライト回数を取得する（Ｓ１１０）。ステップＳ１１０において、オーバーライト回数が、光ディスク１０８ではなく、光ディスク装置１００のメモリに記憶されている場合には、メモリに記憶されているオーバーライト回数を取得する。
【００５１】
そして、マイコン１０１は、ステップＳ１１０において取得したオーバーライト回数に対応する推奨記録パワーの値を光ディスク装置１００のメモリから取得する（Ｓ１１２）。そして、マイコン１０１は、ステップＳ１１２において取得した推奨記録パワーと、ステップＳ１０８において算出したＯＰＣ領域の推奨記録パワーとＯＰＣ処理による記録パワーとの比率から、データ領域における最適記録パワーを算出する（Ｓ１１４）。ステップＳ１１４においては、例えば、ＯＰＣ領域の推奨記録パワーに、ステップＳ１０８において算出された比率を乗じてデータ領域における最適記録パワーを算出する。
【００５２】
そして、マイコン１０１の制御のもと、ステップＳ１１４において算出された最適記録パワーで該当データ領域にデータが記録される。
【００５３】
＜４．本実施の形態の効果＞
上記実施形態によれば、光ディスク装置１００は、ＯＰＣ処理を実行して最適記録パワーを算出して、光ディスクへのオーバーライト回数と推奨記録パワーとの関係情報から、ＯＰＣ処理により算出された最適記録パワーを、データを書き込むデータ領域のオーバーライト回数に応じた最適記録パワーに補正する。これにより、光ディスクのＯＰＣ領域とデータを書き込むデータ領域とのオーバーライト回数が異なっている場合でも、データ領域のオーバーライト回数に応じた最適な記録パワーを算出することができるため、記録品質を保証することが可能となる。
【産業上の利用可能性】
【００５４】
本発明は、書き換え型光ディスクにデータを書き込む光ディスク装置および光ディスク管理方法に適用することができる。
【符号の説明】
【００５５】
１００……光ディスク装置、１０１……マイコン、１０２……レーザドライバ、１０３……レーザダイオード、１０４……ビームスプリッタ、１０５……パワーモニタ、１０６……１／４波長板、１０７……対物レンズ、１０８……光ディスク、１０９……偏光ビームスプリッタ、１１０……ディテクタ、１１１……波形等価器、１１２……信号処理器。
【図１】
2011258280.tif 000005
【図２】
2011258280.tif 000006
【図３】
2011258280.tif 000007
【図４】
2011258280.tif 000008
【図５】
2011258280.tif 000009
【図６】
2011258280.tif 000010
【図７】
2011258280.tif 000011